(57)【特許請求の範囲】
【請求項１】
架台の下面に取り付けられた接続金具と、上端部をボルト、ナットによってこの接続金具に枢着された角筒形状の脚柱材とを備え、上記接続金具には脚柱材の上端部両側面を被覆し，且つ、ボルト挿通孔を設けている両側垂下片が設けられていると共に上記ボルトには両端部を上記ボルト挿通孔に支持させた管状のスペーサ部材が被せられてあり、このスペーサ部材に上記脚柱材の上端部両側面に設けている取付孔が被嵌していて脚柱材に上記スペーサ部材を介して上記架台の接続金具を支持させていることを特徴とする架台の支持構造。
【請求項２】
脚柱材の下端部にボルト、ナットによって連結しているベース部材が配設されてあり、このベース部材には、脚柱材の下端部両側面を被覆し、且つ、ボルト挿通孔を設けている両側垂直板部が設けられていると共に上記ボルトには両端部を上記ボルト挿通孔に支持させた管状のスペーサ部材が被せられてあり、このスペーサ部材に上記脚柱材の下端部両側面に設けている取付孔が被嵌していて脚柱材をスペーサ部材を介してベース部材に支持させていることを特徴とする請求項１に記載の架台の支持構造。
【請求項３】
架台の前後に対向する脚柱材における一方の脚柱材を架台に取り付けている接続金具の両側垂下片と、他方の脚柱材を支持しているベース部材の両側垂直板部とに、斜桁材の両端部をボルト、ナットによって連結するためのボルト挿通孔が設けられていると共に上記ボルトには両端部を上記ボルト挿通孔に支持させた管状のスペーサ部材が被せられてあり、このスペーサ部材に上記斜桁材の両端部に設けている取付孔を被嵌させていることを特徴とする請求項１又は請求項２に記載の架台の支持構造。
【請求項４】
両端部をベース部材の両側垂直板部に設けているボルト挿通孔に支持させた管状のスペーサ部材の長さは、上記両側垂直板部の外側面間の幅寸法よりも短く内側面間の幅寸法よりも長い長さに形成されていることを特徴とする請求項２に記載の架台の支持構造。
【請求項５】
架台は、前後方向に互いに平行に配設された複数本の太陽電池パネル取付用横材と、左右方向に互いに平行に配設され、上記太陽電池パネル取付用横材を下面側から支持している複数本の縦材と、各縦材の前後部の下面に縦材の長さ方向に摺動、固定自在に装着された接続金具と、上端部をそれぞれ上記接続金具に縦材の長さ方向に回動自在に且つ縦材の下面に重なるように折り畳み可能に枢着している前後脚柱材と、これらの前後脚柱材の下端に取り付けたベース部材とからなる太陽電池パネルの架台であることを特徴とする請求項１又は請求項２に記載の架台の支持構造。
【発明の詳細な説明】
【技術分野】
【０００１】
本発明は、太陽電池パネルの架台等を地面等の設置面上に配置するための支持構造に関する。
【背景技術】
【０００２】
従来から、例えば、太陽電池パネルの架台としては、特許文献１に記載されているように、左右方向に一定間隔毎に互いに平行に配設された複数本の太陽電池パネル取付用縦材（垂木）と、前後方向に一定間隔を存して互いに平行に配設され上記縦材を下側から支持した横材（垂木受け）とを備え、この架台の支持構造は、横材を支持する脚柱材（支柱）と、脚柱材の上端部を横材に取り付けるためのプレートと、脚柱材の下端を設置面上に立設状態に固定するための脚柱材固定部材とから構成されている。
【０００３】
上記脚柱材の上端部を横材に取り付けるためのプレートには、その上下部にボルト孔が設けられてあり、このプレートを横材の両側面に当てがってその上側のボルト孔を通じて横材にボルトを螺締させることによりプレートを横材の両側面に固着してあり、横材から下方に垂設しているこれらのプレートの下部間に脚柱材の上端部を挿入してこの脚柱材の上端部両側面に穿設しているボルト孔をプレートの下側のボルト孔に合致させ、一方のプレート側からこれらのボルト孔にボルトを挿通して他方のプレートのボルト孔から突出したボルト先端部にナットを螺締することにより横材に脚柱材の上端部を取り付けている。  
【０００４】
また、上記脚柱材の下端部を固定するための上記脚柱材固定部材には、両側壁面にボルト孔を設けている角筒状の脚柱材囲繞部を備えてあり、この脚柱材囲繞部に脚柱材の下端部を挿入してこの脚柱材の下端部両側面に穿設しているボルト孔を脚柱材囲繞部材の上記ボルト孔に合致させ、脚柱材囲繞部材一方の側壁面側からこれらのボルト孔にボルトを挿通して他方の側壁面側から突出したボルト先端部にナットを螺締することにより、脚柱材固定部材に脚柱材を立設、固定している。
【先行技術文献】
【特許文献】
【０００５】
【特許文献１】特開２０１５−１０１９０７号公報
【発明の概要】
【発明が解決しようとする課題】
【０００６】
上記のような太陽電池パネルの架台の支持構造によれば、架台はその横材の両側面にボルトによって固着している両側プレートの下半部間に脚柱材の上端部を挿入してこれらのプレートと脚柱材の上端部とに設けているボルト孔に挿通したボルトを介して横材を脚柱材に支持させているので、ボルト上にこのボルトの軸心に対して直交する方向に横材側からの多数枚の太陽電池パネルを含めた大きな荷重が掛かって、ボルトが損傷する虞れがあり、また、横材からの荷重によってボルトの両端部に両側パネルのボルト孔を支点とする撓み応力が発生してこの撓み応力によりボルトとナットとの螺合部に拗れが生じ、ボルトにナットが圧着して解体時等におけるナットの回動操作が円滑に行えなくなるといった問題点がある。
【０００７】
このような問題点は、上記脚柱材固定部材の脚柱材囲繞部に脚柱材の下端部を固定しているボルトに対しても上記同様に発生することになり、架台の支持強度が低下するといった問題点がある。さらに、いずれの架台支持構造においても、ボルトが雨水の影響を受けて短期間で腐食する虞れがある。
【０００８】
本発明はこのような問題点に鑑みてなされたもので、その目的とするところは、架台に脚柱材の上端部を連結しているボルトや、脚柱材の下端をベース部材等に固定させているボルトに、構造物側からの荷重が直接作用するのをなくして架台の支持強度を大きくすることができると共に、ボルトが雨水によって腐食するのを防止して長期の使用に供することができる架台の支持構造を提供するにある。
【課題を解決するための手段】
【０００９】
上記目的を達成するために本発明の架台の支持構造は、請求項１に記載したように、架台の下面に取り付けられた接続金具と、上端部をボルト、ナットによってこの接続金具に枢着された角筒形状の脚柱材とを備え、上記接続金具には脚柱材の上端部両側面を被覆し，且つ、ボルト挿通孔を設けている両側垂下片が設けられていると共に上記ボルトには両端部を上記ボルト挿通孔に支持させた管状のスペーサ部材が被せられてあり、このスペーサ部材に上記脚柱材の上端部両側面に設けている取付孔が被嵌していて脚柱材に上記スペーサ部材を介して上記架台の接続金具を支持させていることを特徴とする。
【００１０】
さらに、請求項２に係る発明は、脚柱材の下端部にボルト、ナットによって連結しているベース部材が配設されてあり、このベース部材には、脚柱材の下端部両側面を被覆し、且つ、ボルト挿通孔を設けている両側垂直板部が設けられていると共に上記ボルトには両端部を上記ボルト挿通孔に支持させた管状のスペーサ部材が被せられてあり、このスペーサ部材に上記脚柱材の下端部両側面に設けている取付孔が被嵌していて脚柱材をスペーサ部材を介してベース部材に支持させていることを特徴とする。
【００１１】
上記のように構成した架台の支持構造において、請求項３に係る発明は、架台の前後に対向する脚柱材における一方の脚柱材を架台に取り付けている接続金具の両側垂下片と、他方の脚柱材を支持しているベース部材の両側垂直板部とに、斜桁材の両端部をボルト、ナットによって連結するためのボルト挿通孔が設けられていると共に上記ボルトには両端部を上記ボルト挿通孔に支持させた管状のスペーサ部材が被せられてあり、このスペーサ部材に上記斜桁材の両端部に設けている取付孔を被嵌させていることを特徴とする。
【００１２】
請求項４に係る発明は、両端部をベース部材の両側垂直板部に設けているボルト挿通孔に支持させた管状のスペーサ部材の長さは、上記両側垂直板部の外側面間の幅寸法よりも短く内側面間の幅寸法よりも長い長さに形成されていることを特徴とする。
【００１３】
また、請求項５に係る発明は、上記架台は、前後方向に互いに平行に配設された複数本の太陽電池パネル取付用横材と、左右方向に互いに平行に配設され、上記太陽電池パネル取付用横材を下面側から支持している複数本の縦材と、各縦材の前後部の下面に縦材の長さ方向に摺動、固定自在に装着された接続金具と、上端部をそれぞれ上記前後接続金具に縦材の長さ方向に回動自在に且つ縦材の下面に重なるように折り畳み可能に枢着している前後脚柱材と、これらの前後脚柱材の下端に取り付けたベース部材とからなる太陽電池パネルの架台であることを特徴とする。
【発明の効果】
【００１４】
請求項１に係る発明によれば、架台の下面に取り付けた接続金具の両側垂下片に設けているボルト挿通孔にボルトを挿通して、このボルトに被せている管状のスペーサ部材の両端部を上記ボルト挿通孔に支持させてあり、この管状のスペーサ部材に架台の脚柱材の上端部両側面に設けている取付孔を被嵌して管状のスペーサ部材を介して架台の接続金具を脚柱材に支持させているので、架台側からの荷重をボルトにかけることなく、管状のスペーサ部材を介して脚柱材に支持させることができ、従って、管状のスペーサ部材に挿通している上記ボルトが架台側からの負荷によって損傷したり、変形する虞れはなく、長期に亘っての使用に供することができる強度的に優れた架台の支持構造を提供することができる。
【００１５】
さらに、脚柱材の上端部を架台の下面に取り付けた接続金具に管状のスペーサ部材を介して連結させている上記ボルトは上記管状のスペーサ部材によって被覆されているので、雨溝等によって腐食するのを防止することができるばかりでなく、架台の組立時や解体時等においては、ボルト、ナットによる架台の接続金具と脚柱材の上端部との連結作業が円滑に行える。
【００１６】
請求項２に係る発明によれば、脚柱材の下端部に配設したベース部材の両側垂直板部に設けているボルト挿通孔にボルトを挿通して、このボルトに被せている管状のスペーサ部材の両端部を上記ボルト挿通孔に支持させてあり、この管状スペーサ部材に上記脚柱材の下端部両側面に設けているボルト取付孔を被嵌して管状のスペーサ部材を介して脚柱材をベース部材に支持させているので、上記請求項１に係る発明と同様に、架台側からの脚柱材を介してベース部材側にかかる荷重をボルトに作用させることなく管状のスペーサ部材を介してベース部材に支持させることができ、従って、管状のスペーサ部材に挿通している上記ボルトが架台側からの負荷によって損傷したり、変形する虞れはなく、長期に亘っての使用に供することができる強度的に優れた架台の支持構造を提供することができる。  
【００１７】
さらに、上記ボルトは管状のスペーサ部材によって被覆されているので、雨溝等によって腐食するのを防止することができるばかりでなく、架台の組立時や解体時等において、ボルト、ナットによる脚柱材の下端部とベース部材との連結作業が円滑に行える。
【００１８】
また、請求項３に記載したように、架台の前後に対向する脚柱材における一方の脚柱材を架台に取り付けている接続金具の両側垂下片と、他方の脚柱材を支持しているベース部材の両側垂直板部との間に斜桁材を、上記管状のスペーサ部材を被せているボルトによって連結した構造においても、上記作用効果と同じ作用効果を奏することができる。
【００１９】
請求項４に係る発明によれば、両端部をベース部材の両側垂直板部に設けているボルト挿通孔に支持させている管状のスペーサ部材の長さは、上記両側垂直板部の外面間の幅寸法よりも短い長さに形成されているので、スペーサ部材の両端部がベース部材の両側垂直板部に設けているボルト挿通孔に支持させているにもかかわらず、管状のスペーサ部材に挿通しているボルトの先端部に螺合したナットを締め付けることによって上記ベース部材の両側垂直板部を脚柱材の両側面に圧着させることができ、脚柱材の下端部にベース部材を回動不能に固着して架台を安定した設置状態となるように支持することができる。
【００２０】
請求項５に係る発明によれば、上記架台は太陽電池パネルの架台であって、前後方向に互いに平行に配設された複数本の太陽電池パネル取付用横材と、左右方向に互いに平行に配設され、上記太陽電池パネル取付用横材を下面側から支持している複数本の縦材と、各縦材の前後部の下面に装着された接続金具と、上端部をそれぞれ上記前後接続金具に縦材の長さ方向に回動自在に枢着している前後脚柱材と、これらの前後脚柱材の下端に取り付けたベース部材とからなり、縦材の前後部下面に装着されて前後脚柱材の上端部を、上記管状のスペーサ部材を備えたボルトにより枢着させている接続金具を縦材の長さ方向に摺動、固定自在に装着しているので、太陽電池パネルの架台の保管時や運搬時には、前後脚柱材を各縦材の下面前後部に装着している接続金具から取り外すことなく、上記枢着部を支点として縦材の下面に折り畳むことができ、この状態にして複数本の横材と共に脚柱材を折り畳んだ縦材をコンパクトに集束しておくことができるので、保管や運搬、取扱いが安全に且つ容易に行える。
【００２１】
さらに、施工現場においては、前後接続金具との枢着部を支点として前後脚柱材を下方に向かって起立させ、脚柱材の下端に取り付けているベース部材を地面等の基礎面に固定することによって前後脚柱材上に縦材を支持させた組立構造を簡単に形成することかでき、この縦材を所定間隔毎に左右方向に並設すると共に、縦材に直交するようにしてこれらの縦材上に太陽電池パネル取付用横材を前後方向に所定間隔毎に並設することによって太陽電池パネルの架台を能率よく組み立てることができる。また、脚柱材を縦材に接続金具している接続金具は、縦材の長さ方向に摺動、固定自在としているので、基礎面に対する前後脚柱材の立設位置を所望の位置に設定することができる。
【図面の簡単な説明】
【００２２】
【図１】太陽電池パネルの架台の簡略斜視図。
【図２】その側面図。
【図３】その一部の拡大側面図。
【図４】架台を支持している脚柱材の縦断正面図。
【図５】架台の縦材下面に装着した接続金具と脚柱材上端部との枢着構造の分解斜視図。
【図６】斜桁材の上下端部の枢着構造を示す断面図。
【図７】架台の縦材下面に前後脚柱材及び斜桁材を折り畳んだ状態の簡略側面図。
【図８】脚柱材の枢着構造の変形例を示す縦断正面図。
【発明を実施するための形態】
【００２３】
本発明の具体的な実施例を図面について説明すると、図１〜図４において、架台Ａは、前後方向に所定間隔毎に互いに平行に配設された一定長さを有する複数本の横材１と、左右方向に適宜間隔毎に互いに平行に配設され、上記横材１に直交させてこれらの横材１を下面側から支持している一定長さを有する複数本の縦材２とからなり、上記横材１上に複数枚の太陽電池パネルＢを縦横に並設、固定することによって太陽電池パネルＢの架台を構成している。
【００２４】
この架台Ａの下面前後部、具体的には横材１を支持している各縦材２の下面前後部に接続金具３、４を装着してあり、この前後接続金具３、４に、それぞれ前後脚柱材５、６の上端部を連結して、これらの前後脚柱材５、６によって架台Ａが支持されている。さらに、前後脚柱材５、６の下端部には地面等の設置面に設置する前後ベース部材７、８がそれぞれ取り付けられていると共に前側脚柱材５の上記接続金具３と後側脚柱材６の上記接続金具４間に斜桁材９が配設されてあり、この斜桁材９の上端部と下端部を、上記前側脚柱材５を縦材２の下面に連結させている接続金具３と後側脚柱材６のベース部材８とにそれぞれ回動自在に枢着している。
【００２５】
なお、前側脚柱材５の長さが後側脚柱材６よりも短く形成されていて、架台Ａを後端から前端に向かって斜め下方に傾斜させた状態で配設するように構成している。また、上記横材１と縦材２、斜桁材９、及び、前後脚柱材５、６はアルミニウム或いはアルミニウム合金等を押出成形することによって製造された角パイプからなり、角筒形状に形成されている。
【００２６】
上記前後接続金具３、４において、後側接続金具４は図５に示すように、上面中央部を縦材２の下面に摺動自在に重ね合わせた矩形状の水平板部4aと、この水平板部4aの両側部上面に全長に亘って設けられ、その先端部を縦材２の両側部下端に全長に亘って設けている一定幅を有する係合突片2a、2aに摺動自在に係止させたクランプ片部4b、4bと、このクランプ片部4b、4bを下方に押圧してクランプ片部4b、4bの先端部を上記縦材２における係合突片2bに圧着、固定させる固定用ボルト4cと、上記水平板部4aの下面両側部から下方に互いに平行に垂設している垂下片4d、4dとを有し、この両側垂下片4d、4dの中央部には互いに同一水平軸線上で連通しているボルト挿通孔4e、4eが設けられている。
【００２７】
同様に、上記前側接続金具３は、上面中央部を縦材２の下面に摺動自在に重ね合わせた矩形状の水平板部3aと、この水平板部3aの両側部上面に全長に亘って設けられ、その先端部を縦材２の両側部下端に全長に亘って設けている一定幅を有する上記係合突片2a、2aに摺動自在に係止させたクランプ片部3b、3bと、このクランプ片部3b、3bを下方に押圧してクランプ片部3b、3bの先端部を上記縦材２における係合突片2aに圧着、固定させる固定用ボルト3cと、上記水平板部3aの下面両側部から下方に互いに平行に垂設している垂下片3d、3dとを有し、この両側垂下片3d、3dには互いに同一水平軸線上で連通しているボルト挿通孔3e、3eが設けられている。
【００２８】
さらに、この前側接続金具３における両側垂下片3d、3dは、その前後方向の長さを上記後側接続金具４における両側垂下片4d、4dの前後方向の長さよりも長くなるように形成されていて，この両側垂下片3d、3dの前半部に上記ボルト挿通孔3e、3eが設けられてあり、このボルト挿通孔3eを前側ボルト挿通孔として後半部に後側ボルト挿通孔3f、3fが設けられている。
【００２９】
なお、前後接続金具３、４における上記クランプ片部3b、4bは、水平板部3a、4aの上面から突設している支持片部分3b1 、4b1 と、この支持片部分3b1 、4b1 から縦材２の側面下端に設けている上記係合突片2aに向かって水平に突出しその先端にこの係合突片2aに係止する下方に屈折した係止端部を設けている係止片部分3b2 ，4b2 とを有し、これらの係止片部分3b2 ，4b2 に上下方向に貫通したボルト挿通孔を穿設していると共に、上記水平板部3a、4aの両側部に、ボルト挿通孔に挿通した上記固定用ボルト3c、4cを螺合させる螺子孔3g、3gを設けてあり、固定用ボルト3c、4cをこの螺子孔3g、3gに螺締させることによって係止片部分3b2 ，4b2 を下方に撓ませてその先端係止端部を上記縦材２の係合突片2aに圧着、固定させるように構成している。
【００３０】
上記前後脚柱材５、６は図４に示すように、その両側面間の厚み（太さ）を上記前側接続金具３の両側垂下片3d、3d間と上記後側接続金具４の両側垂下片4d、4d間とにそれぞれ挿入可能な寸法に形成していて、その上端部の両側外面をそれぞれ上記前後接続金具３、４の両側垂下片3d、3d：4d、4dの対向する内側面に接触させているか又は僅かな隙間を介して配設されてあり、これらの前後脚柱材５、６の上端部両側面には、前後接続金具３、４の上記垂下片3d、4dに設けているボルト挿通孔3e、4eと同径または僅かに大径の取付孔5a、5a：6a、6aが設けられている。
【００３１】
そして、前後脚柱材５、６の上端部は前後接続金具３、４の両側垂下片間にそれぞれ挿入されてこれらの垂下片によりその両側面を被覆させてあり、これらの垂下片3d、4dに設けている上記ボルト挿通孔3e、4eに、前後脚柱材５、６の上端部両側面に設けている上記取付孔5a、6aを同一水平軸線上に合致させた状態で脚柱材取付用ボルト10を一方の垂下片3d、4d側からこれらのボルト挿通孔3e、4e、取付孔5a、6aに挿通して他方の垂下片3d、4dから突出したボルト先端部にナット11を螺締し、前後脚柱材５、６の上端部を前後接続金具３、４に枢着している。
【００３２】
上記脚柱材取付用ボルト10の螺軸部は、上記ボルト挿通孔3e、4e、取付孔5a、6aよりも小径に形成されていてこれらのボルト挿通孔3e、4eに支持させていなく、この脚柱材取付用ボルト10に長さが上記前後接続金具３、４の両側垂下片3d、3d：4d、4dの外側面間の幅寸法に等しいか僅かに短く、且つ、これらの両側垂下片3d、3d：4d、4dに設けている上記ボルト挿通孔3e、4eと同径に形成された金属製の管状スペーサ部材12が被せられてあり、このスペーサ部材12の両端部を図４に示すように、前後接続金具３、４の上記両側垂下片3d、3d：4d、4dに設けているボルト挿通孔3e、4eに挿嵌、固定してスペーサ部材12をこれらのボルト挿通孔3e、4eに支持させていると共に接続金具３、４にそれぞれ配設したこれらのスペーサ部材12、12にそれぞれ前後脚柱材５、６の上端部両側面に設けている上記取付孔5a  、6aを回動自在に被嵌して支持させている。
【００３３】
また、前後脚柱材５、６の下端に取り付けている上記ベース部材７、８は、矩形状の水平基板7a、8aと、この水平基板7a、8aの上面両側部に上方に向かって突設し、その対向する内側面間に前後脚柱材５、６の下端部をそれぞれ挿入させている両側垂直板部7b、8bとからなり、この両側垂直板部7b、8bに互いに同一軸心上で連通するボルト挿通孔7c、8cが設けられている一方、前後脚柱材５、６の下端部両側面には上記ボルト挿通孔7c、8cと同径の取付孔5b、6bが設けられている。なお、これらの前後ベース部材７、８の両側垂直板部の幅寸法は、上記前後接続金具３、４の両側垂下片の幅寸法に等しくなるように形成されていて、脚柱材５、６の下端部の両側外面をそれぞれ前後ベース部材７、８の両側垂直板の対向する内側面に接触させているか又は僅かな隙間を介して配設されている。
【００３４】
さらに、後側の脚柱材６の下端部を支持した上記後側ベース部材８における両側垂直板部8b、8bは、その前後方向の長さを上記前側の脚柱材５の下端部を支持した前側ベース部材７における両側垂直板部7b、7bの前後方向の長さよりも長くなるように形成されていて，この両側垂直板部8b、8bの後半部に上記ボルト挿通孔8c、8cが設けられてあり、このボルト挿通孔8cを後側ボルト挿通孔として前半部に前側ボルト挿通孔8d、8dが設けられている。
【００３５】
そして、前後脚柱材５、６の下端部は前後ベース部材７、８の両側垂直板部間にそれぞれ挿入されていてこれらの両側垂直板部7b、8bによりその両側面を被覆させていると共に前側ベース部材７の両側垂直板部7b、7bに設けている上記ボルト挿通孔7c、7cと、後側ベース部材８の両側垂直板部8b、8bに設けている後側のボルト挿通孔8c、8cに、前後脚柱材５、６の下端部両側面に設けている上記取付孔5b、6bをそれぞれ同一水平軸線上に合致させた状態にして、ベース部材取付用ボルト13、13をそれぞれ一方の垂直板部7b、8b側からこれらのボルト挿通孔7c、8c、取付孔5b、6bに挿通して他方の垂直板部7b、8bから突出したボルト先端部にナット14を螺締し、前後脚柱材５、６の下端部をベース部材７、８に枢着している。
【００３６】
上記ベース部材取付用ボルト13は、上記脚柱材取付用ボルト10と同様に、その螺軸部は上記ボルト挿通孔7c、8c、取付孔5b、6bよりも小径に形成されていてボルト挿通孔7c、8cに支持させていなく、このベース部材取付用ボルト13に長さが前後ベース部材７、８の両側垂直板部7b、7b：8b、8bの外側面間の幅寸法に等しいか僅かに短く、且つ、これらの両側垂直板部7b、7b：8b、8bに設けている上記ボルト挿通孔7c、8cと同径に形成された金属製の管状スペーサ部材15が被せられてあり、このスペーサ部材15の両端部を前後ベース部材７、８の上記両側垂直板部7b、7b：8b、8bに設けているボルト挿通孔7c、8cに挿嵌、固定してスペーサ部材15をこれらのボルト挿通孔7c、8cを設けている両側垂直板部7b、7b：8b、8bにそれぞれ支持させていると共にこれらのスペーサ部材15、15にそれぞれ前後脚柱材５、６の下端部両側面に設けている上記取付孔5b、6bを回動自在に被嵌して支持させている。
【００３７】
一方、上記斜桁材９の上端部と下端部とに、図６に示すように、両側面間に亘って同一軸心上で貫通した連結孔9a、9bが設けられてあり、斜桁材９の上端部を上記前側接続金具３における両側垂下片3d、3dの後半部間に挿入してこれらの両側垂下片3d、3dによりその両側面を被覆させていると共に前側接続金具３における両側垂下片3d、3dの後半部に設けているボルト挿通孔3f、3fに、斜桁材９の上端部両側面に設けている上記連結孔9a、9aを同一水平軸線上に合致させてあり、この状態にして斜桁材取付用ボルト16、16をそれぞれ一方の垂下片3d側からこれらのボルト挿通孔3f、3f、連結孔9a、9aに挿通して他方の垂下片3dから突出したボルト先端部にナット17を螺締し、斜桁材９の上端部を前側接続部材３の両側垂下片3d、3dに枢着している。
【００３８】
上記斜桁材取付用ボルト16は、上記脚柱材取付用ボルト10やベース部材取付用ボルト13と同様にその螺軸部は上記ボルト挿通孔3fや連結孔9aよりも小径であって、これらのボルト挿通孔3fや連結孔9aに支持させていなく、この斜桁材取付用ボルト16に長さが上記前側接続金具３の両側垂下片3d、3dの外側面間の幅寸法に等しいか僅かに短く、且つ、これらの両側垂下片3d、3dに設けている上記ボルト挿通孔3fと同径に形成された金属製の管状スペーサ部材18が被せられてあり、このスペーサ部材18の両端部を前側接続部材３の両側垂下片3d、3dに設けている上記ボルト挿通孔3f、3fに挿嵌、固定してスペーサ部材18をこれらのボルト挿通孔3f、3fに支持させていると共にこのスペーサ部材18の両端部に斜桁材９の上端部両側面に貫設している上記連結孔9a、9aを被嵌、支持させて斜桁材９の上端部をスペーサ部材18に回動自在に取り付けている。
【００３９】
同様に、斜桁材９の下端部は、上記後側ベース部材８の両側垂直板部8b、8bの前半部間に挿入されていて両側垂直板部8b、8bの前半部に設けている上記ボルト挿通孔8d、8dにこの斜桁材９の下端部両側面に互いに同一軸線上で貫通した状態に設けている連結孔9b、9bを合致させて、長さが上記両側垂直板部8b、8bの外側面間の長さに等しいか僅かに短く、且つ、外径が上記ボルト挿通孔8cと同径の管状のスペーサ部材18' を後側ベース部材８の両側垂直板部8b、8b間に配設して、このスペーサ部材18' の両端部を両側垂直板部8b、8bに設けている上記ボルト挿通孔8d、8dに嵌合、支持させてあり、一方の垂直板部8b側から斜桁材取付用ボルト16' をスペーサ部材18' 内に挿通して他方の垂直板部8bから突出したボルト先端部にナット17' を螺締し、斜桁材９の下端部を後側ベース部材８の両側垂直板部8b、8bに枢着している。
【００４０】
なお、この実施例においては、上記前後接続部材３、４の両側垂下片3d、4dに設けているボルト挿通孔3e、3f、4eや前後ベース部材７、８の両側垂直板部7b、8bに設けているボルト挿通孔7c、8cは同一径に形成されていると共に上記前後接続部材３、４の両側垂下片3d、3d間及び4d、4d間の幅と上記前後ベース部材７、８の両側垂直板部7b、7b間及び8b、8b間の幅とを同一幅に形成してあり、従って、上記全てのスペーサ部材12、15、18、18'
の長さと径を同一長さ、同一径に形成している。
【００４１】
また、上記前後脚柱材５、６の上下端部の両側面に互いに同一水平軸線上で連通させた状態で設けている上側取付孔5a、6aと下側取付孔5b、6bをそれぞれ回動自在に被嵌させている上下スペーサ部材12、15の長さを図  に示すように、前後接続部材３、４の両側垂下片3d（4d）の外側面間の幅寸法及び前後ベース部材７、８の両側垂直板部7b（8b）の外側面間の幅寸法よりも短く、且つ、これらの両側垂直板部7b（8b）の対向する内側面間の幅寸法よりも長く形成しておけば、スペーサ部材12、15にそれぞれ挿通した脚柱材取付用ボルト10やベース部材取付用ボルト13に螺合しているナット11、14を締め付けることによって前後接続部材３、４の両側垂下片3d（4d）の内側面や前後ベース部材７、８の両側垂直板部7b（8b）の内側面を脚柱材５、６の上下端部の両外側面に圧着させることができ、脚柱材５、６やベース部材７、８を回動不能に固定することができる。
【００４２】
従って、前後ベース部材７、８の両側垂直板部に設けているボルト挿通孔7c、7f、8cを図８に示すように縦長孔21に形成して、前後脚柱材５、６の設置面からの高さを調整可能に構成することができる。
【００４３】
架台Ａを構成している上記横材１と縦材２とにおいて、横材１を支持している各縦材２の上面中央部には図４に示すように、全長に亘って凹溝2bが設けられてあり、この凹溝2bに横材１と縦材２とを直交する部分を固定したクランプ19が配設されている。さらに、各横材１の上面中央部にも図３に示すように、全長に亘って凹溝1bが設けられていて、この凹溝1bに太陽電池パネル固定用のクランプ20を配設してあり、このクランプ20によって横材１上に縦横に並設される太陽電池パネルＢの端部を固定させている。
【００４４】
なお、太陽電池パネルＢは平面矩形状に形成されていて、この太陽電池パネルＢの縦幅（前後方向の幅）に上記隣接する前後横材１、１の対向端部の上面間の距離が等しくなるように横材１を縦材２上に上記クランプ19によって分解可能に並設、固定してあり、太陽電池パネルＢはその前後部を前後に隣接する上記横材１、１の対向端部の上面上に載置してその前後端部を上記クランプ20により横材１に固定するように構成している。また、横材１の長さは太陽電池パネルＢの横幅の数倍の長さを有し、隣接する横材１、１間に複数枚の太陽電池パネルＢを横列状態に取り付けるように構成している。
【００４５】
上記のように構成した太陽電池パネルの架台Ａは保管時等の不使用時には、横材１と縦材２とを別々にすると共に各縦材２の前後接続金具３、４の固定用ボルト3c、4cを緩めて縦材２に介する固定を解き、前側の接続金具３を縦材２の前端にまで縦材２の下面に沿って移動させる一方、後側の接続金具４を縦材２の後端にまで縦材２の下面に沿って移動させることにより、図７に示すように、後側脚柱材６を縦材２の後部下面に重ね合わせると共に斜桁材９を縦材２の中央部下面に重ねあわせ、さらに、前側脚柱材５を縦材２の前部に向かって伏動させて縦材２の前部下面に沿わせる。
【００４６】
この状態にして前後接続部材３、４の固定用ボルト3c、4cを締め付けて前後接続部材３、４を縦材２に移動不能に固定すると共に、脚柱材取付ボルト10を締め付ければ、前後脚柱材５、６及び斜桁材９は一本の直棒状に引き延ばされた状態で縦材２の下面に沿わせた折り畳み状態を保持する。
【００４７】
このように、各縦材２の下面に前後脚柱材３、４と斜桁材９とを折り重ね、これを横材１と共に束ねてバンド等で結束すれば、保管や運搬、現場での取扱い等が容易に行え、作業性が向上する。
【００４８】
次に、現場において太陽電池パネルの架台を組み立てるには、縦材２の両側係合突片2a、2aに固定している前後接続金具３、４のクランプ片部3b、4bを、固定用ボルト3c、4cを緩めることによって縦材２の下面に対する固着を解き、これらの前後接続金具３、４を、縦材２の下面に沿って互いに接近する方向に摺動、移動させると、後側脚柱材６と斜桁材９との下端部をスペーサ部材15を介して回動自在に枢着している後側ベース部材８が縦材２から下方に離間しながら後側脚柱材６が後側接続金具４とのスペーサ部材12を介しての枢着部を支点として下方に起立すると共に斜桁材９も前側接続金具３とのスペーサ部材18を介しての枢着部を支点として下方に回動し、また、前側脚柱材５を前側接続金具３とのスペーサ部材12を介しての枢着部を支点として下方に回動させれば、前後脚柱材５、６を地面等の基礎面Ｂに対して立設した状態にすることができる。
【００４９】
しかるのち、固定用ボルト3c、4cを螺締して前後接続金具３、４を縦材２の下面の前後部にそれぞれ固着する。同様にして、その他の縦材２に対しても上記操作によって前後脚柱材５、６を起立させた状態にすると共に前後接続金具３、４を縦材２の下面前後部にそれぞれ固着する。
【００５０】
そして，これらの縦材２を基礎面Ｃに左右方向に適宜間隔毎に並設してその前後ベース９、10を基礎面Ｃに土台やアンカ部材等を介して固定し、必要に応じて前後脚柱材５、６及び前後ベース部材７、８をスペーサ部材に挿通しているボルト、ナットを締め付けることによって回動不能に固定したのち、縦材２上に縦材２の長さ方向にその長さ方向を直交させるようにして複数本の横材１を太陽電池パネルＢの架設が可能な間隔毎に前後方向に所定間隔毎に並列してこれらの横材１と縦材２とを格子枠状に組み合わせ、しかるのち、横材１と縦材２との交差部を横材固定用クランプ19によって一体に連結、固定する。
【００５１】
こうして、左右に適宜間隔毎に並設している複数本の縦材２上に複数本の横材１を横材固定用クランプ19によって前後方向に所定間隔毎に固定したのち、太陽電池パネルＢを前後に隣接する横材１、１の端部上間に掛け渡すようにして配設し、その端部を横材１の凹溝1aに取付けている複数個の太陽電池パネル固定用クランプ20によって横材１に固定する。
【００５２】
このように、上面に複数枚の太陽電池パネルＢを縦横に敷き並べた状態で配設している架台Ａは、前後の脚柱材５、６とベース部材７、８を介して基礎面Ｃ上に設置、固定されてあり、複数枚の太陽電池パネルＢを含めて架台Ａの荷重は、前後脚柱材５、６と前後ベース部材７、８に掛かっているが、架台Ａの縦材２の下面に取り付けている前後接続金具３、４の両側垂下片3d、4dに設けているボルト挿通孔3e、4eに管状のスペーサ部材12の両端部を嵌合、支持させてあり、このスペーサ部材12に脚柱材５、６の上端部の両側面に設けている取付孔5a、6aを回動自在に被嵌させているので、上記荷重がスペーサ部材12内に挿通して接続金具３、４と脚柱材５、６とを連結しているボルト10に掛かることなく、スペーサ部材12の両端部を嵌合させている前後接続金具３、４の両側垂下片3d、4dのボルト挿通孔3e、4eに掛かって、ボルト10を何ら変形等させることなく架台Ａを長期に亘って安定した状態で強固に支持しておくことができる。
【００５３】
同様に、前後脚柱材５、６の下端部を回動自在に連結している前後ベース部材７、８においても、架台Ａ側からの前後脚柱材５、６を介して掛かる荷重をスペーサ部材15によって支持させているので、長期の使用に供し得る架台の支持構造を提供することができる。  
【００５４】
なお、以上の実施例においては、太陽電池パネルＢの架台Ａの支持構造について説明したが、本発明においては太陽電池パネルＢにかぎらず、その他の物品等の架台支持構造としても採用することができる。
【符号の説明】
【００５５】
１  横材
２  縦材
３、４  接続部材
3d、4d  垂下片
3e、4e  ボルト挿通孔
５、６  前後脚柱材
5a、5b、6a、6b  取付孔
７、８  ベース部材
7b、8b  両側垂直板部
９  斜桁材
10  脚柱材取付用ボルト
12  スペーサ部材
13  ベース部材取付用ボルト
15  スペーサ部材
【図１】
0006613160.tif 000002
【図２】
0006613160.tif 000003
【図３】
0006613160.tif 000004
【図４】
0006613160.tif 000005
【図５】
0006613160.tif 000006
【図６】
0006613160.tif 000007
【図７】
0006613160.tif 000008
【図８】
0006613160.tif 000009